(57)【特許請求の範囲】
【請求項１】
複数の回線に接続される通信端末に対応して通信を行う通信装置において、
前記複数の回線との接続・交換を行う回線制御手段と、
前記複数の回線に接続された通信端末に自動的に発呼する自動発呼手段と、を備え、前記自動発呼手段は、前記回線制御手段によって接続交換された同一宛先番号の通信端末に対して通信コストの低い回線から順に接続を試みる通信装置において、さらに前記自動発呼手段の使用と未使用を指示する指示手段を備えたことを特徴とする通信装置。
【請求項２】
複数の回線に接続される通信端末に対応して通信を行う通信装置において、
前記複数の回線との接続・交換を行う回線制御手段と、
同一宛先番号に対応して前記複数の回線に接続される通信端末の電話番号情報を設定登録し、複数の発呼の優先順位を設定する登録手段と、
前記複数の回線に接続された通信端末に自動的に発呼する自動発呼手段と、を備え、前記自動発呼手段は、前記登録手段に設定した発呼の優先順位に基づき、前記回線制御手段によって接続交換された同一宛先番号の通信端末に対して順に接続を試みる通信装置において、さらに前記自動発呼手段の使用と未使用を指示する指示手段を備えたことを特徴とする通信装置。
【発明の詳細な説明】
【０００１】
【産業上の利用分野】
本発明は通信装置に関し、特に、複数の通信機能を有する通信端末に発呼する際に、より有利な通信機能を有する通信方式を自動選択して発呼する通信装置に関する。
【０００２】
【従来の技術】
近時、ファクシミリ装置の機能が向上し、グループ４（以下、Ｇ４）の通信機能を備えたファクシミリ装置が製品化されている。しかし、ファクシミリ装置の普及は、いまだグループ３（以下、Ｇ３）の通信機能を備えたファクシミリ装置が主流であることから、Ｇ４の通信機能だけでなく、Ｇ３の通信機能をも備えたファクシミリ装置として製品化されている。
【０００３】
一方、Ｇ４の機能を備えたファクシミリ装置を収容できる網としては、データ網（ＣＳＰＤＮ、ＰＳＰＤＮ）やＩＳＤＮ（サービス総合ディジタル網）等のデジタル回線網が存在している。
【０００４】
そこで、Ｇ４とＧ３の両機能を利用するため、データ網に接続されるファクシミリ装置はＧ４ポート（データ網用ポート）とＧ３ポート（ＰＳＴＮ：公衆電話回線網用ポート）の２つのポートを有しており、ＩＳＤＮに接続されるファクシミリ装置はＧ４とＧ３共通のＩＳＤＮポートを１つ備えている。
【０００５】
しかしながら、我が国においては、このデジタル回線につながる端末装置の電話番号は、従来のアナログ電話回線の電話番号とは異なった番号体系となっており、Ｇ４のファクシミリ装置においては、Ｇ３の電話番号をそのまま使用することができないため、Ｇ４用の電話番号も設定登録されている。
【０００６】
また、その他のＩＳＤＮに接続されるＩＳＤＮ通信装置としては、ファクシミリ蓄積交換装置やファクシミリメール装置等のファクシミリ通信装置があり、ファクシミリ蓄積交換装置やファクシミリメール装置等のファクシミリ通信装置は画情報の転送サービス等を提供する。
【０００７】
また、ファクシミリ蓄積交換装置等のファクシミリ通信装置においては、ＩＳＤＮとＰＳＴＮとを収納したものがあり、相手先に対応して回線を使い分けている。この場合、送信先がＧ４ファクシミリ装置であると、Ｇ４モードで通信を行ない、相手先がＧ３ファクシミリ装置であると、Ｇ３モードで通信を行なう。
【０００８】
また、Ｇ４ポートともに複数のＧ３ポートを備えたファクシミリ装置やファクシミリ蓄積交換装置もあり、これらのＧ３ポートには内線と外線を接続し、内線用と外線用の電話番号が設定登録されている。したがって、発呼先のファクシミリ装置が同様にＧ３ポートの外線とＧ３ポートの内線に接続されている場合は、オペレータが内線用の電話番号を選択して発呼することで通信コストを低減することを可能にしている。
【０００９】
【発明が解決しようとする課題】
しかしながら、このような従来のＩＳＤＮ回線とＰＳＴＮ回線とを収納して複数のポートを備えたファクシミリ装置やファクシミリ蓄積交換装置にあっては、ポートにＧ３外線とＧ３内線が接続されている場合、通信コストの安いポートへの発呼は、オペレータの選択操作に任されていたため、内線用の電話番号を知らないオペレータは、通常の外線用の電話番号に発呼してしまい、通信コストを増加させる原因となっていた。
【００１０】
また、Ｇ４ポートとＧ３ポートを備えたファクシミリ装置やファクシミリ蓄積交換装置同士の通信の場合もポートの選択は、オペレータの選択操作に任されていたため、Ｇ４ポートとＧ３ポートを併用できることを知らないオペレータの場合、Ｇ３ポートを使用して発呼してしまうと、やはり通信コストを増大させるという問題があった。
【００１１】
そこで本発明は、内・外線やＧ３・Ｇ４ファクシミリ回線に接続して通信する複数の通信機能を有する通信端末あるいはファクシミリ通信端末が該通信機能毎に持つ電話番号情報を登録し、入力される発呼先電話番号が登録されているとき、より有利な通信機能の方の電話番号を選択して発呼する自動発呼機能を有することにより、通信時間と通信コストを確実に低減する通信装置を提供することを目的とする。
【００１２】
【課題を解決するための手段】
本発明の通信装置は、複数の回線に接続される通信端末に対応して通信を行う通信装置において、前記複数の回線との接続・交換を行う回線制御手段と、前記複数の回線に接続された通信端末に自動的に発呼する自動発呼手段と、を備え、前記自動発呼手段は、前記回線制御手段によって接続交換された同一宛先番号の通信端末に対して通信コストの低い回線から順に接続を試みる通信装置において、さらに前記自動発呼手段の使用と未使用を指示する指示手段を備えた構成を有している。
【００１３】
この構成により、必要に応じて自動発呼機能を使用することができる。
【００１４】
また、本発明の通信装置は、複数の回線に接続される通信端末に対応して通信を行う通信装置において、前記複数の回線との接続・交換を行う回線制御手段と、同一宛先番号に対応して前記複数の回線に接続される通信端末の電話番号情報を設定登録し、複数の発呼の優先順位を設定する登録手段と、前記複数の回線に接続された通信端末に自動的に発呼する自動発呼手段と、を備え、前記自動発呼手段は、前記登録手段に設定した発呼の優先順位に基づき、前記回線制御手段によって接続交換された同一宛先番号の通信端末に対して順に接続を試みる通信装置において、さらに前記自動発呼手段の使用と未使用を指示する指示手段を備えた構成を有している。
【００１５】
この構成により、必要に応じて自動発呼機能を使用することができる。
【００１６】
【実施例】
以下、本発明を実施例に基づいて具体的に説明する。
【００１７】
図１〜図５は、本発明の通信装置を適用したファクシミリ装置の一実施例を示す図である。
【００１８】
図１は、ファクシミリ装置１のブロック図であり、ファクシミリ装置１は、ＣＰＵ２、メインメモリ３、パラメータメモリ４、バッテリ５、ＲＯＭ６、キャラクタジェネレータ７、時計回路８、ＤＭＡコントローラ９、操作表示装置10、プロッタ11、スキャナ12、符号化圧縮装置13、14、符号再生装置15、画像処理装置16、補助記憶装置17及び通信制御装置18等から構成されおり、各部はシステムバス19に接続されている。
【００１９】
ＣＰＵ（Central Processing Unit)２は、必要に応じてＲＯＭ６内のプログラムをメインメモリ３に読み込み、メインメモリ３に読み込んだプログラムに従ってファクシミリ装置１の各部を制御して、ファクシミリ装置１としてのシーケンスを実行するとともに、後述する本願各発明の通信制御処理を実行する。
【００２０】
メインメモリ３は、ＣＰＵ２がＲＯＭ６に格納されたプログラムを実行する際にプログラムを読み込むメモリエリアを形成する。
【００２１】
パラメータメモリ（登録手段）４は、ＣＰＵ２がプログラムを実行する際に必要となる各種データを格納するメモリエリアを形成し、特に、本実施例では、図２に示すようなＧ４−Ｇ３外線−Ｇ３内線の電話番号に対応する電話番号テーブルを登録するメモリエリアを形成する。
【００２２】
バッテリ５は、パラメータメモリ３の記憶状態を保持するためのバックアップ用のバッテリである。
【００２３】
ＲＯＭ（Read Only Memory）６は、ＣＰＵ２が実行するファクシミリ装置１としての基本プログラムや本願各発明の通信制御プログラムを格納する。
【００２４】
キャラクタジェネレータ７は、Ｇ４ファクシミリ通信等で受信するキャラクタコードに基づいて所定のキャラクタデータ（文字データ）を発生する。
【００２５】
時計回路８は、発振器や分周器等を備え、時刻を計時する。時計回路８の計時結果は、送信文書の管理処理に使用される。
【００２６】
ＤＭＡコントローラ９は、ＣＰＵ２とＲＯＭ６及びメインメモリ３、パラメータメモリ４間等のデータの授受において、ＤＭＡ（Direct Memory Access）処理を実行し、すなわち、ＣＰＵを介さずにＲＯＭ６及びメインメモリ３、パラメータメモリ４のメモリ間だけでデータの授受を行わせてデータ転送処理中であってもＣＰＵ２のデータ処理を実効可能にする。このＤＭＡ処理はＣＰＵ２のデータ処理効率を良くするために所定の処理タイミングで実行される。
【００２７】
操作表示装置（指示手段）10は、テンキーやスタートキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。また、操作表示装置10では、本願各発明の通信制御処理が実行される際の自動発呼処理の使用と未使用を指示する操作キーが設定される。
【００２８】
プロッタ（記録手段、発呼情報出力手段）11としては、例えば、サーマル素子を利用したサーマル記録装置が使用されており、プロッタは感熱記録紙に直接、あるいは、普通記録紙にインクシートを介して間接的に画像を記録するとともに、後述する本願各発明の通信制御処理に際して通信結果レポートに発呼情報及びパラメータメモリ４に登録された番号情報を記録出力する。
【００２９】
スキャナ12としては、例えば、ＣＣＤ（Charge Coupled Device）を利用したイメージスキャナが利用されており、スキャナ12は、原稿を走査して原稿の画情報を読み取る。
【００３０】
符号化圧縮装置13、14は、所定の符号化方式により送信画像データを圧縮（符号化）し、符号再生部15は、受信画像データを再生（復号化）する。
【００３１】
画像処理装置16は、画情報のハーフトーン処理や変倍処理等の画像処理を行う。補助記憶装置17は、Ｇ４ファクシミリ通信がＩＳＤＮ通信のとき、Ｂチャネルで転送されるデータ等を記憶する。
【００３２】
通信制御装置（通信手段）18には、複数の回線を収容するポート（図示略）が設けられており、本実施例では、Ｇ４回線用、Ｇ３外線用及びＧ３内線用のポートがある。通信制御装置18は、そのポート毎にＧ４用とＧ３用の網制御部やモデム等を内蔵し、通信制御装置には各ポートに回線、例えば、電話回線やデジタル回線が接続されている。通信制御装置18は、そのＧ４用とＧ３用の網制御部により呼の設定・解除を行い、この網制御部はいわゆる自動発・着呼型の網制御部で、自動的に発信操作および着信操作を行う。モデムは送信信号の変調および受信信号の復調を行う。通信制御装置18は、ファクシミリ通信時、相手Ｇ４ファクシミリ装置やＧ３ファクシミリ装置との間でファクシミリ制御信号の交換を行って通信機能の設定や各種制御情報の交換を行い、Ｇ４ファクシミリ通信及びＧ３ファクシミリ通信を制御する。
【００３３】
次に、作用を説明する。
【００３４】
本実施例では、上記図１に示したファクシミリ装置１が、図３に示すような接続形態で接続されている場合の通信制御処理について説明する。
【００３５】
図３では、ファクシミリ装置１によるＦＡＸ１とＦＡＸ２が、それぞれＡ事業所とＢ事業所のＰＢＸ（交換機）を経由して専用線（内線）で接続されているとともに、外線としてアナログ回線とデジタル回線によっても接続されている。
【００３６】
この接続形態におけるファクシミリ装置１の通信制御処理について図４に示すフローチャートに基づいて説明する。
【００３７】
図４において、ファクシミリ装置１の操作表示部10で発呼番号が入力され、送信モード（アナログ内線、アナログ外線及びデジタル外線）が選択され、発呼の自動変更指示のオン／オフ及びスタートボタンが押下されると（ステップＰ１〜Ｐ４）、ＣＰＵ２では、発呼自動変更指示がオンされたかどうかをチェックする（ステップＰ５）。発呼自動変更指示がオンされないときは、入力された発呼番号で通常の発呼処理を行い（ステップＰ６）、呼の接続を確認すると（ステップＰ７）、データを送出し（ステップＰ８）、その通信結果を通信履歴情報として記録して通信制御処理を終了する（ステップＰ９）。一方、ステップＰ７で呼の接続ができないときは、リダイヤル発呼処理を規定回数まで実行し（ステップＰ10）、規定回数までリダイヤル発呼処理を実行しても呼が接続できないときは、その発呼処理を中断して発呼失敗の情報を通信履歴情報に記録して通信制御処理を終了する（ステップＰ９）。
【００３８】
一方、ステップＰ５で発呼自動変更指示がオンされたときは、その発呼番号がパラメータメモリ４に登録されている発呼番号かどうかをチェックする（ステップＰ11）。登録されていないときは、上記ステップＰ６〜Ｐ10の通常の発呼処理を実行し、登録されているときは、まず、上記図２に示したように登録された発呼番号のうちＧ３内線（専用線）用の発呼番号により発呼し（ステップＰ12）、その呼の接続を確認する（ステップＰ13）。呼が接続したときは、データを送出し（ステップＰ14）、モデムトレーニング時にエラーが発生したかどうかをチェックする（ステップＰ15）。エラーが発生したときは、当該発呼先ファクシミリ通信端末のパラメータメモリ４に登録されている一連の発呼番号を記録したエラーレポートをプロッタ11から出力し（ステップＰ16）、その通信結果を通信履歴情報に記録して通信制御処理を終了する（ステップＰ９）。また、トレーニング時にエラーがなかったときは、通信結果を通信履歴情報に記録して通信制御処理を終了する（ステップＰ９）。
【００３９】
一方、ステップＰ13でＧ３内線で呼の接続ができないときは、同一宛先にＧ４外線用発呼番号で発呼して呼の接続を確認する（ステップＰ17、Ｐ18）。呼が接続したときは、上記ステップＰ14〜Ｐ16の処理によりデータを送出し、モデムトレーニング時のエラーチェック及びエラーレポートの出力を実行し、その通信結果を通信履歴情報に記録して通信制御処理を終了する（ステップＰ９）。また、Ｇ４外線でも呼が接続できなかったときは、Ｇ３外線用の発呼番号で発呼して呼の接続を確認する（ステップＰ19、Ｐ20）。呼が接続したときは、上記ステップＰ14〜Ｐ16の処理によりデータを送出し、モデムトレーニング時のエラーチェック及びエラーレポートの出力を実行し、その通信結果を通信履歴情報に記録して通信制御処理を終了する（ステップＰ９）。
【００４０】
また、呼が接続できなかったときは、上記Ｇ３内線からＧ３外線までの上記ステップＰ12〜Ｐ20までの発呼処理によるリダイヤル発呼処理を規定回数まで実行し（ステップＰ21）、呼が接続したときは、上記ステップＰ14〜Ｐ16の処理によりデータを送出し、モデムトレーニング時のエラーチェック及びエラーレポートの出力を実行し、その通信結果を通信履歴情報に記録して通信制御処理を終了する（ステップＰ９）。規定回数までリダイヤル発呼処理を実行しても呼が接続できないときは、その発呼処理を中断して発呼失敗の情報を通信履歴情報に記録して通信制御処理を終了する（ステップＰ９）。
【００４１】
以上のように、ファクシミリ装置１において通信制御処理が行われることにより、上記図３で示したようなファクシミリ装置１同士がＧ３内線、Ｇ４外線及びＧ３外線と複数の回線で接続され、それぞれの回線に対応してパラメータメモリ４に登録された発呼番号のうち通信コストが低いものから順に発呼処理が行われることにより、確実に通信コストを低減することができる。
【００４２】
また、リダイヤル発呼による呼の接続が失敗したとき、あるいは、呼接続後のモデムトレーニングでエラーが発生したとき、当該発呼先の一連のパラメータメモリ４に登録された発呼番号がエラーレポートあるいは通信履歴情報に記録されて出力されるため、ファクシミリ装置１のオペレータは、エラーレポート及び通信履歴情報を確認することで発呼先の状態を把握して直ちに対処することができ、また、自動的にリダイヤル処理が実行されるため、オペレータの再発呼操作を省くことができる。
【００４３】
また、上記図４のフローチャートにおける一点鎖線内のステップＰ12〜Ｐ21処理は、図５に示すフローチャートに置き換えることもでき、この処理について説明する。図５において、上記図４のフローチャートと同一のステップ処理部分には、同一のステップ番号を付している。
【００４４】
すなわち、本実施例では、○で囲んだステップＰ22とステップＰ23を追加したところだけが異なっており、Ｇ３内線による発呼とＧ４外線による発呼に際してそれぞれリダイヤル処理が追加されて、Ｇ３内線及びＧ４外線の発呼毎にリダイヤル発呼処理が実行される。
【００４５】
したがって、同様にオペレータの再発呼操作の手間を省くことができるとともに、リダイヤル発呼処理の間隔を短くすることができる。
【００４６】
図６〜図10は、ファクシミリ蓄積交換装置の一例を示す図である。
【００４７】
図６は、ファクシミリ蓄積交換装置21のブロック図であり、ファクシミリ蓄積交換装置21は、システム制御部22、操作部23、記憶部24、回線交換制御部25、ＰＳＴＮ回線Ｉ／Ｆ部26、ＩＳＤＮ回線Ｉ／Ｆ部27、Ｇ３通信制御部ＡＮ１〜ＡＮｎ及びＧ４通信制御部ＤＮ１、ＤＮ２等から構成されている。
【００４８】
システム制御部22は、ＣＰＵ（Central Processing Unit）、ＲＯＭ（Read O-nly Memory）およびＲＡＭ（Random Access Memory）等を有し、ＲＯＭ内にはファクシミリ蓄積交換装置21としての基本プログラムや後述する本願各発明の通信制御処理プログラム等が格納されている。システム制御部22は、ＲＯＭ内のプログラムに従って、ファクシミリ蓄積交換装置21の各部を制御してファクシミリ蓄積交換装置21としてのシーケンスを実行するとともに、本願各発明の通信制御処理を実行する。
【００４９】
操作部23は、テンキー、ワンタッチキー、スタートキーおよび他の操作キー等が設けられているとともに、表示部が設けられており、操作キーにより各種コマンド等が入力され、表示部には、入力されたコマンドや  ファクシミリ蓄積交換装置21からオペレータに通知する各種情報が表示される。
【００５０】
記憶部（蓄積手段、登録手段）24は、ハードディスク等で構成され、システム制御部22の制御下で動作する。記憶部24は、ＰＳＴＮ回線Ｉ／Ｆ部26を介してＰＳＴＮ回線Ｐ１〜Ｐｎ及び内線Ｉ１〜ＩｎやＩＳＤＮ回線Ｉ／Ｆ部27を介してＩＳＤＮ回線ＤＬから送られてきた電文やその電文のサービスに必要な各種サービス情報等を記憶する。また、記憶部24には、特に、本例では、図７に示すようなＧ４−Ｇ３外線−Ｇ３内線の電話番号に対応する電話番号テーブルを登録するとともに、このテーブルでは発呼の優先順位をＡ、Ｂとして設定している。
【００５１】
この発呼優先順位の設定としては、
例えば、Ａの場合は、Ｇ３内線→Ｇ３外線→Ｇ４外線とし、
Ｂの場合は、Ｇ３外線→Ｇ３内線→Ｇ４外線とする。
【００５２】
また、Ｇ３通信制御部ＡＮ１〜ＡＮｎで発呼するときは、
例えば、所定の内線フラグ信号により内線Ｉ１〜ＩｎとＰＳＴＮ回線Ｐ１〜Ｐｎを使用するものとする。
【００５３】
回線交換制御部（回線制御手段）25は、ＰＳＴＮ回線Ｉ／Ｆ部26を介して内線Ｉ１〜ＩｎとＰＳＴＮ回線Ｐ１〜Ｐｎとの接続交換、内線Ｉ１〜Ｉｎ相互の接続交換および内線Ｉ１〜ＩｎやＰＳＴＮ回線Ｐ１〜ＰｎのＧ３通信制御部ＡＮ１〜ＡＮｎへの接続制御等を行う。
【００５４】
ＰＳＴＮ回線Ｉ／Ｆ部26には、外線としてＰＳＴＮ（公衆回線網）回線Ｐ１〜Ｐｎ及び内線Ｉ１〜Ｉｎが接続されており、各内線Ｉ１〜Ｉｎにはファクシミリ端末が接続されている。これらのファクシミリ端末としては、Ｇ３モードの通信機能を備えたものが接続されている。
【００５５】
ＩＳＤＮ回線Ｉ／Ｆ部27には、デジタル回線としてＩＳＤＮ回線ＤＬが接続され、デジタル回線ＤＬに接続されるファクシミリ端末はＧ４ファクシミリ通信の通信プロトコルを実行する機能を有する。ＩＳＤＮ回線Ｉ／Ｆ部27は、デジタル回線ＤＬのＧ４通信制御部ＤＮ１、ＤＮ２への接続制御等を行なう。
【００５６】
Ｇ３通信制御部ＡＮ１〜ＡＮｎは、それぞれＧ３ファクシミリ通信の通信プロトコルを実行する機能を有しており、各Ｇ３通信制御部ＡＮ１〜ＡＮｎは、アナログ回線Ｉ／Ｆ部３と回線交換制御部25を介して接続されるファクシミリ端末との間でＧ３モードのファクシミリ通信プロトコルを実行してＧ３ファクシミリ通信を行なう。
【００５７】
Ｇ４通信制御部ＤＮ１、ＤＮ２は、デジタル回線ＤＬを介して接続されるファクシミリ端末との間でＧ４モードのファクシミリ通信手順を実行してファクシミリ通信を行う。
【００５８】
Ｇ３通信制御部ＡＮ１〜ＡＮｎ及びＧ４通信制御部ＤＮ１、ＤＮ２は、通信手段を構成する。
【００５９】
次に、作用を説明する。
【００６０】
本例では、上記図６に示したファクシミリ蓄積交換装置21が、図８に示すような接続形態で接続されている場合の通信制御処理について説明する。
【００６１】
図８では、ファクシミリ蓄積交換装置21によるＦＭＳＡとＦＭＳＢが、それぞれＡ事業所とＢ事業所のＰＢＸ（交換機）を経由して専用線（内線）で接続されているとともに、外線としてアナログ回線とデジタル回線によっても接続され、ＦＭＳＡとＦＭＳＢには、それぞれファクシミリ通信端末としてＦＡＸ−Ａ１〜Ａ４とＦＡＸ−Ｂ１〜Ｂ４が接続されている。また、Ｂ事業所内のＰＢＸには、ファクシミリ通信端末ＦＡＸ−Ｂが接続されている。
【００６２】
この接続形態におけるファクシミリ蓄積交換装置21の通信制御処理について図９に示すフローチャートに基づいて説明する。
【００６３】
図９において、上記図８のファクシミリ蓄積交換装置21によるＦＭＳＡあるいはＦＭＳＢに接続されたファクシミリ通信端末ＦＡＸ−Ａ１〜Ａ４とＦＡＸ−Ｂ１〜Ｂ４から送信要求があると、ファクシミリ蓄積交換装置21は、記憶部24に登録された上記図７に示したＧ４−Ｇ３外線−Ｇ３内線の電話番号に対応する電話番号テーブルを利用する発呼自動変更指示のオン（使用）／オフ（未使用）を確認する（ステップＱ１）。オフのときは、入力された発呼番号で通常の発呼処理を行い（ステップＱ２）、呼の接続を確認すると（ステップＱ３）、データを送出し（ステップＱ４）、その通信結果を通信履歴情報として記録して通信制御処理を終了する（ステップＱ５）。一方、ステップＱ３で呼の接続ができないときは、リダイヤル発呼処理を規定回数まで実行し（ステップＱ６）、規定回数までリダイヤル発呼処理を実行しても呼が接続できないときは、その発呼処理を中断して発呼失敗の情報を通信履歴情報に記録して通信制御処理を終了する（ステップＱ５）。
【００６４】
一方、ステップＱ１で発呼自動変更指示がオンされたときは、その発呼番号が記憶部24に登録されている発呼番号かどうかをチェックする（ステップＱ７）。登録されていないときは、上記ステップＱ２〜Ｑ６の通常の発呼処理を実行し、登録されているときは、まず、上記図７に示したように登録された発呼番号のうちＧ３内線（専用線）用の発呼番号により発呼し（ステップＱ８）、その呼の接続を確認する（ステップＱ９）。呼が接続したときは、データを送出し（ステップＱ10）、モデムトレーニング時にエラーが発生したかどうかをチェックする（ステップＱ11）。エラーが発生したときは、当該発呼先ファクシミリ通信端末の記憶部24に登録されている一連の発呼番号を記録したエラーレポートを送信依頼されたファクシミリ通信端末ＦＡＸ−Ａ１〜Ａ４、ＦＡＸ−Ｂ１〜Ｂ４に出力し（ステップＱ12）、その通信結果を通信履歴情報に記録して通信制御処理を終了する（ステップＱ５）。また、トレーニング時にエラーがなかったときは、通信結果を通信履歴情報に記録して通信制御処理を終了する（ステップＱ５）。
【００６５】
一方、ステップＱ９でＧ３内線で呼の接続ができないときは、同一宛先にＧ４外線用発呼番号で発呼して呼の接続を確認する（ステップＱ13、Ｑ14）。呼が接続したときは、上記ステップＱ10〜Ｑ12の処理によりデータを送出し、モデムトレーニング時のエラーチェック及びエラーレポートの出力を実行し、その通信結果を通信履歴情報に記録して通信制御処理を終了する（ステップＱ５）。また、Ｇ４外線でも呼が接続できなかったときは、Ｇ３外線用の発呼番号で発呼して呼の接続を確認する（ステップＱ15、Ｑ16）。呼が接続したときは、上記ステップＱ10〜Ｑ12の処理によりデータを送出し、モデムトレーニング時のエラーチェック及びエラーレポートの出力を実行し、その通信結果を通信履歴情報に記録して通信制御処理を終了する（ステップＱ５）。
【００６６】
また、呼が接続できなかったときは、上記Ｇ３内線からＧ３外線までの上記ステップＱ８〜Ｑ16までの発呼処理によるリダイヤル発呼処理を規定回数まで実行し（ステップＰ17）、呼が接続したときは、上記ステップＱ10〜Ｑ12の処理によりデータを送出し、モデムトレーニング時のエラーチェック及びエラーレポートの出力を実行し、その通信結果を通信履歴情報に記録して通信制御処理を終了する（ステップＱ５）。規定回数までリダイヤル発呼処理を実行しても呼が接続できないときは、その発呼処理を中断して発呼失敗の情報を通信履歴情報に記録して通信制御処理を終了する（ステップＱ５）。
【００６７】
以上のように、ファクシミリ蓄積交換装置21において通信制御処理が行われることにより、上記図８で示したようなファクシミリ蓄積交換装置21に送信依頼するファクシミリ通信端末ＦＡＸ−Ａ１〜Ａ４、ＦＡＸ−Ｂ１〜Ｂ４から入力される発呼番号に対して登録テーブルに登録された優先順位によりＧ３内線、Ｇ４外線及びＧ３外線と複数の回線で接続される発呼先に対して、それぞれの回線に対応して記憶部24に登録された発呼番号のうち通信コストが低いものから順に発呼処理が行われることにより、確実に通信コストを低減することができる。
【００６８】
また、リダイヤル発呼による呼の接続が失敗したとき、あるいは、呼接続後のモデムトレーニングでエラーが発生したとき、当該発呼先の一連の記憶部24に登録された発呼番号がエラーレポートあるいは通信履歴情報に記録されて送信依頼のあったファクシミリ通信端末ＦＡＸ−Ａ１〜Ａ４、ＦＡＸ−Ｂ１〜Ｂ４に出力されるため、各ファクシミリ通信端末ＦＡＸ−Ａ１〜Ａ４、ＦＡＸ−Ｂ１〜Ｂ４のオペレータは、エラーレポート及び通信履歴情報を確認することで発呼先の状態を把握して直ちに対処することができ、また、自動的にリダイヤル処理が実行されるため、オペレータの再発呼操作を省くことができる。
【００６９】
また、上記図４のフローチャートにおける一点鎖線内のステップＱ８〜Ｑ12処理は、図10に示すフローチャートに置き換えることもでき、この処理について説明する。図10において、上記図９のフローチャートと同一のステップ処理部分には、同一のステップ番号を付している。
【００７０】
すなわち、本例では、○で囲んだステップＱ18とステップＱ19を追加したところだけが異なっており、Ｇ３内線による発呼とＧ４外線による発呼に際してそれぞれリダイヤル処理が追加されて、Ｇ３内線及びＧ４外線の発呼毎にリダイヤル発呼処理が実行される。
【００７１】
したがって、同様にオペレータの再発呼操作の手間を省くことができるとともに、リダイヤル発呼処理の間隔を短くすることができる。
【００７２】
【発明の効果】
本発明の通信装置は、複数の回線に接続される通信端末に対応して通信を行う通信装置において、前記複数の回線との接続・交換を行う回線制御手段と、前記複数の回線に接続された通信端末に自動的に発呼する自動発呼手段と、を備え、前記自動発呼手段は、前記回線制御手段によって接続交換された同一宛先番号の通信端末に対して通信コストの低い回線から順に接続を試みる通信装置において、さらに前記自動発呼手段の使用と未使用を指示する指示手段を設けているので、必要に応じて自動発呼機能を使用することができる。
【００７３】
また、本発明の通信装置は、複数の回線に接続される通信端末に対応して通信を行う通信装置において、前記複数の回線との接続・交換を行う回線制御手段と、同一宛先番号に対応して前記複数の回線に接続される通信端末の電話番号情報を設定登録し、複数の発呼の優先順位を設定する登録手段と、前記複数の回線に接続された通信端末に自動的に発呼する自動発呼手段と、を備え、前記自動発呼手段は、前記登録手段に設定した発呼の優先順位に基づき、前記回線制御手段によって接続交換された同一宛先番号の通信端末に対して順に接続を試みる通信装置において、さらに前記自動発呼手段の使用と未使用を指示する指示手段を設けているので、必要に応じて自動発呼機能を使用することができる。
【図面の簡単な説明】
【図１】本発明による通信装置を適用したファクシミリ装置のブロック図。
【図２】図１のファクシミリ装置のパラメータメモリに登録された発呼番号情報テーブルを示す図。
【図３】図１のファクシミリ装置が接続された事業所間の接続形態を示す図。
【図４】本発明による通信装置を適用したファクシミリ装置における通信制御処理のフローチャート。
【図５】図４の通信制御処理で置き換えられるステップ部分のフローチャート。
【図６】ファクシミリ蓄積交換装置の一例のブロック図。
【図７】図６のファクシミリ蓄積交換装置の記憶部に登録された発呼番号情報テーブルを示す図。
【図８】図６のファクシミリ蓄積交換装置が接続された事業所間の接続形態を示す図。
【図９】ファクシミリ蓄積交換装置の一例における通信制御処理のフローチャート。
【図10】図９の通信制御処理で置き換えられるステップ部分のフローチャート。
【符号の説明】
１    ファクシミリ装置
２    ＣＰＵ
３    メインメモリ
４    パラメータメモリ
10    操作表示装置
11    プロッタ
12    スキャナ
18    通信制御装置
21    ファクシミリ蓄積交換装置
22    システム制御部
23    操作部
24    記憶部
25    回線交換制御部
26    ＰＳＴＮ回線Ｉ／Ｆ部
27    ＩＳＤＮ回線Ｉ／Ｆ部
ＡＮ１〜ＡＮｎ    Ｇ３通信制御部
ＤＮ１、ＤＮ２    Ｇ４通信制御部
Ｐ１〜Ｐｎ    ＰＳＴＮ回線
Ｉ１〜Ｉｎ    内線
ＤＬ    ＩＳＤＮ回線
【図１】
0003568923.tif 000002
【図２】
0003568923.tif 000003
【図３】
0003568923.tif 000004
【図４】
0003568923.tif 000005
【図５】
0003568923.tif 000006
【図６】
0003568923.tif 000007
【図７】
0003568923.tif 000008
【図８】
0003568923.tif 000009
【図９】
0003568923.tif 000010
【図１０】
0003568923.tif 000011